(57)【要約】【課題】  マガジン５内のステープルの打ち出しが行われる前に、マガジン５を作動させて、マガジン５とクリンチャ部３との間で綴じ用紙をクランプする。【解決手段】  連結ステープルが装填されたカートリッジ６を装着したマガジン５をクリンチャ部３の方向へ移動可能に支持フレーム４の内側に支持させるとともに、マガジン５の側面にカムフォロア１７を突出形成し、このカムフォロア１７を支持フレーム４に配置されているステープル駆動機構８を駆動させる駆動回転部材９に形成したカム溝２１と係合させることによって、マガジン５を駆動回転部材９によってクリンチャ部３の方向へ直接作動させる。【選択図】図２
2005028786.tif 000002
【特許請求の範囲】
【請求項１】
連結ステープルが装填されるとともに先端部にステープルの打出部が形成されたカートリッジと、前記カートリッジが装着されるとともにカートリッジ内の連結ステープルを前記打出部へ供給するステープル供給機構が形成されたマガジンと、前記打出部に対向してマガジンに配置されて打出部に供給されたステープルを前記打出部から打ち出すステープル打出機構および、前記マガジンの打出部と対向して配置されて綴じ用紙を貫通したステープルの脚を綴じ用紙の裏面に沿って折り曲げるクリンチャ機構とを備えた電動ステープラーにおいて、前記マガジンを支持フレームによってクリンチャ部の方向へ移動可能に支持させ、該マガジンの側面にカムフォロアを突出形成するとともに前記ステープル駆動機構を駆動させる駆動回転部材に前記カムフォロアと係合するカム溝を形成し、カムフォロアをカム溝と係合させることによって、前記マガジンを駆動回転部材によってクリンチャの方向へ直接作動させるようにしたこと特徴とする電動ステープラーの駆動機構。
【発明の詳細な説明】
【技術分野】
【０００１】
本発明は、連結ステープルを装填したカートリッジを電動ステープラーのマガジンへ装着するとともに、連結ステープルをカートリッジの前端に形成された打出部へ順次供給し、該打出部に供給されたステープルを綴じ用紙に向けて打ち出し、綴じ用紙を貫通したステープルの脚部を綴じ用紙の裏面に沿って折り曲げることにより綴じ用紙を綴じるようにした電動ステープラーの駆動機構に関する。
【背景技術】
【０００２】
真直状のステープル材を多数並べて接着してシート状に形成した連結ステープルをカートリッジに装填するとともに、該カートリッジを電動ステープラーのマガジンに装着して、カートリッジ内の連結ステープルを順次マガジンの先端部に形成された打出部へ向けて供給し、この連結ステープルの先頭のステープルを打出部でフォーミングプレートによってコ字形に成形するとともに打出部に形成されている打出通路へ供給し、打出通路内で摺動するドライバプレートによって打出通路から打ち出してステープル脚を前記マガジンの打出部の下方に配置された綴じ用紙を貫通させ、綴じ用紙を貫通したステープルの脚をマガジンの下方に配置されているクリンチャ機構によって綴じ用紙の裏面に沿って折り曲げることによってステープル綴じを行うようにした電動ステープラーが知られている。
【０００３】
上記電動ステープラーのマガジンには、ステープルを綴じ用紙へ向けて打ち出し案内する打出通路を形成している打出部が先端に形成されるとともに、カートリッジに装填されたステープルを前記打出部へ向けて供給するステープル供給機構および、打出部へ供給されたステープルをコ字形に成形するとともに打出通路から綴じ用紙に向けて打ち出す成形・打出機構が形成されており、電動ステープラーが非作動時に前記マガジンがステープル脚を折り曲げるクリンチャ機構と綴じ用紙の配置空間を隔てて隔離されて配置されている。そして前記空間内に配置された綴じ用紙を綴じるため電動ステープラーが作動されるとき、前記マガジンをクリンチャ機構の方向へ作動させてクリンチャ機構との間で綴じ用紙をクランプさせ、その後マガジン部の成形・打出機構を作動させてステープルを綴じ用紙に向けて打ち出し作動するように構成されている。
【０００４】
上記電動ステープラーのマガジンには成形・打出機構として、打出部へ供給された連結ステープルの真直状のステープル材をコ字形に成形するためのフォーミングプレートと、コ字形に成形されたステープルを綴じ用紙へ向けて打ち出すためのドライバプレートが打出部の打出通路に対向させてスライド可能に支持されて設けられており、これらの成形・打出機構を電動モータにより回転される回転部材とこの回転部材に形成されたカム溝と係合されたリンク部材を介してクリンチャ機構部の方向へスライド駆動させることによってステープル材をコ字形に成形するとともに打出通路から打ち出すようにしている。そしてマガジンに保持されている成形・打出機構がクリンチャ機構の方向へ駆動されるとき、成形・打出機構とマガジン間の摺動抵抗によってマガジンをクリンチャ機構の方向へ成形・打出機構に追従させて作動させるように構成されている。
【０００５】
従来の電動ステープラーにおいてはマガジンの後端側が支持フレームの内側に回動可能に回動支軸によって支持されており、上記のようにマガジン内のステープルを打ち出すために駆動されるフォーミングプレートやドライバプレートとの摺動抵抗によってマガジン部を駆動させるようにしているため、使用中の摩耗や変形等に伴ってマガジンの回動抵抗が大きくなると、マガジンが回動しにくくなりマガジンの下面が綴じ用紙に密着される前にドライバプレートによってステープルがマガジン部から綴じ用紙へ向けて打ち出されてしまう現象が発生する。このような状態では綴じ用紙面と打出通路間にステープル脚を誘導するガイドが形成されないのでステープル脚の座屈が発生して綴じ不良が発生するという問題がある。
【０００６】
また、ドライバプレートを駆動させるリンクとマガジンとの間に介装した圧縮バネの弾力によってマガジンを作動させるようにすれば、多少マガジンの作動抵抗が大きくなったとしてもドライバプレートによってステープルが打ち出される以前にマガジンを作動させることができるが、綴じ用紙の厚さの変動に対応させるためにマガジンを綴じ用紙面に対して垂直方向に作動させるようにした電動ステープラーでは、マガジンを摺動可能に支持している支持フレームとマガジン間の摺動抵抗が大きくなるため圧縮バネによってマガジンを確実に作動させるには圧縮バネの弾力を大きく設定することが必要であり、この大きな荷重のバネ力を介してフォーミングプレートとドライバプレートを作動させることになり駆動モータの負荷が大きくなってしまい、駆動モータの大型化、駆動電流の増大等の省電力化の妨げとなってしまう。
【特許文献１】実公平６−７８９５号公報
【発明の開示】
【発明が解決しようとする課題】
【０００７】
本発明は、上記従来技術での問題を解決して、ステープル駆動機構によるマガジン内のステープルの打ち出しが行われる前に、マガジンとクリンチャ機構との間で綴じ用紙を確実にクランプできるようにマガジンをクリンチャ機構方向へ作動させる電動ステープラーの駆動機構を提供することを課題とする。
【課題を解決するための手段】
【０００８】
上記課題を解決するため本発明の電動ステープラーの駆動機構は、連結ステープルが装填されたカートリッジを装着したマガジンを支持フレームによってクリンチャ部の方向へ移動可能に支持させ、該マガジンの側面にカムフォロアを突出形成するとともに前記ステープル駆動機構を駆動させる駆動回転部材に前記カムフォロアと係合するカム溝を形成し、カムフォロアをカム溝と係合させることによって、前記マガジンを駆動回転部材によってクリンチャの方向へ直接作動させるようにしたこと特徴とする
【発明の効果】
【０００９】
本発明によれば、マガジンを支持フレームに対して移動可能に支持させるとともに、マガジンの側面にカムフォロアを突出形成し、このカムフォロアを支持フレームの外側の側面に配置したステープル駆動機構を駆動させる駆動回転部材に形成したカム溝と係合させることによってマガジンを駆動回転部材によって直接作動させるようにしているので、マガジンを支持している支持フレームとの摺動抵抗が大きくなったとしても、マガジン内のステープルの打ち出しが行われる以前にマガジンとクリンチャ機構との間で綴じ用紙がクランプされるようにマガジンが作動されるので、綴じ用紙がクランプされる以前にステープルが打ち出されて座屈が発生する等のステープル綴じ不良が発生することが防止できる。
【発明を実施するための最良の形態】
【００１０】
ステープルの打ち出し作動に先立ってマガジンをクリンチャ機構部の方向へ作動させて綴じ用紙を確実にクランプさせるという目的を、マガジンに形成したカムフォロアをステープル駆動機構を駆動させる駆動回転部材に形成したカム溝と係合させることによって実現した。
【実施例１】
【００１１】
図１は本発明のステープル供給機構を実施した電動ステープラーの全体を示す斜視図であり、電動ステープラー１は複写機や印刷機等の内部の用紙の搬送路に配置されて、複写や印刷処理された複数の綴じ用紙を綴じるようにされている。この実施例における電動ステープラー１は、多数の真直状のステープル材を並列させて隣接したステープル材同士を接着剤等によって連結してシート状に形成された連結ステープルを、成形用のアンビルとステープルを打ち出し案内する打出通路が形成された打出部へ供給し、連結ステープルの先頭部分の真直状のステープル材をコ字形のステープルに成形するとともに、コ字形に成形されたステープルを綴じ用紙に向けて打ち出すようにしたステープル駆動部２と、用紙を貫通したステープル脚を綴じ用紙の裏面に沿って折り曲げるクリンチャ部３により構成されており、複写機や印刷機等の内部に形成されている綴じ用紙の搬送路を挟んで一方側に前記ステープル駆動部２が配置され搬送路の反対側に前記クリンチャ部３が配置されている。
【００１２】
ステープル駆動部２は、綴じ用紙の搬送路の一方側に形成されている一対の支持フレーム４と、この一対の支持フレーム４の間で搬送路に配置された用紙に向けて摺動可能に支持されているマガジン５と、前記マガジン５の内部に装着されるシート状の連結ステープルが装填されたカートリッジ６により構成されている。カートリッジ６の前方部分にはシート状の連結ステープルの先頭部分の真直状のステープル材をコ字形に成形するためのアンビルと、コ字形に成形されたステープルを綴じ用紙に向けて打ち出し案内する打出通路を形成している打出部７が形成されており、マガジン５にはカートリッジ６に装填されている連結ステープルを前記打出部７へ向けて供給するステープル供給機構と、真直状のステープル材をコ字形に成形するとともにコ字形に成形されたステープルを打ち出すステープル駆動機構８が形成されている。前記両支持フレーム４の外側の側面には外周面に歯が形成された駆動回転部材９が支軸１０によって回転自在に支持されており、前記支持フレーム４と隣接して配置されている駆動モータ１１により駆動回転部材９を回転させて前記マガジン５とステープル駆動機構８を駆動させるようにしている。
【００１３】
図２に示すように、駆動回転部材９は両支持フレーム４の外側の側面に支軸１０によって回転自在に支持されており、この駆動回転部材９の各々の外側面にはフォーミングリンク１２が配置されておりこのフォーミングリンク１２によって前記打出部７のアンビルと対向して配置されているフォーミングプレート１３を駆動させ、また、駆動回転部材９の各々の内側面に配置されているドライバリンク１４によって前記打出部７の打出通路と対向して形成されているドライバプレート１５が駆動されるようにされている。また、マガジン５の外側面には駆動回転部材９に向けて突出形成されたカムフォロア１７が形成されており、このカムフォロア１７が駆動回転部材９に形成されたカム溝と係合することによって図に示すようにマガジン５が支持フレーム４に対して下方へ作動される。
【００１４】
図３に示すように、マガジン５はマガジン５の外側面に形成されたガイド溝１８が支持フレーム４の内側面に形成されているガイド突起１９と係合することによって支持フレーム４に対して上下方向に摺動可能に支持されている。マガジン５の外側面に突出形成されたカムフォロア１７は、支持フレーム４に形成された切欠き部２０から支持フレーム４の外側面まで突出されて、駆動回転部材９の内側面に形成されているカム溝２１と係合されるように配置されている。これによって駆動回転部材９が回転されることによりマガジン５が支持フレーム４に対して下方向へ駆動されてクリンチャ部３との間で綴じ用紙を挟持するように作動される。
【００１５】
図２および図３にて示されるように、支持フレーム４の外側に配置されている駆動回転部材９の外側面にはフォーミングカム２２が形成されており、前記フォーミングプレート１３に一端が連結されたフォーミングリンク１２の中央部がこのフォーミングカム２２に係合されることによってフォーミングプレート１３が駆動回転部材９によって駆動されるようにされている。また、図４に示すように、駆動回転部材９の内側面にはドライバカム２３が形成されており、ドライバプレート１５を駆動させるドライバリンク１４の中央部がこのドライバカム２３と係合されることによって駆動回転部材９によりドライバプレート１５を駆動させるようにしている。
【００１６】
以下図４乃至図６によりマガジン５とステープル駆動機構８を構成しているドライバプレート１５の作動を説明する。図４に示すように、電動ステープラー１が非作動の状態では、マガジン５に形成されたカムフォロア１７と駆動回転部材７に形成されたカム溝２１によってマガジン５は、マガジン５とクリンチャ部３との間に綴じ用紙が挿入できる間隙が形成されるように支持フレーム４に対して上方位置に保持されている。また、ドライバリンク１４の先端に連結されたドライバプレート１５もドライバリンク１４の中央部がドライバカム２３と係合されて上方位置に待機されている。
【００１７】
図５に示すように電動ステープル１が作動されると、駆動回転部材９が回転駆動することによってマガジン５のカムフォロア１７が駆動回転部材９のカム溝２１と係合されてマガジン５がクリンチャ部３へ向けて下方向に作動されてクリンチャ部３との間で綴じ用紙をクランプさせる。このときドライバプレート１５もドライバリンク１４を介してドライバカム２３によって下方向へ作動されるが、マガジン５の作動とドライバプレート１５の作動が同期して作動するようにカム溝２１とドライバカム２３をの形状を形成することによりマガジン５とドライバプレート１５間には相対的な作動がなく、マガジン５からドライバプレート１５によってステープルが打ち出されてしまうことがない。
【００１８】
マガジン５がクリンチャ部３との間で綴じ用紙をクランプした位置まで作動した状態で、駆動回転部材９のカム溝２１によってマガジン５は上記クランプ位置に保持され、この状態で、図６に示すように、ドライバリンク１４とドライバカム２３によってドライバプレート１５が更に下方向に作動されて、マガジン５内のステープルをマガジン５の先端部に形成されている打出部７から綴じ用紙に向けて打ち出す。そして、綴じ用紙を貫通したステープルの脚がクリンチャ部３によって綴じ用紙の裏面に沿って折り曲げられてステープル綴じが完了する。ステープル綴じが完了すると駆動回転部材９の回転により各々のカム面２１、２３によってマガジン５とドライバプレート１５が上方へ復帰させられて、所定のステープル綴じ行程が完了する。
【００１９】
図７に示すように、前記マガジン５にはカートリッジ６に積層して装填された連結ステープルを打出部７へ向けて順次供給するステープル供給機構２４が形成されており、前記マガジン５のスライド作動に関連してこのステープル供給機構２４を作動させるようにしている。ステープル供給機構２４は、カートリッジ６のステープル収容部から打出部７へ向けて形成されているステープルガイド２５の下面に沿って摺動自在に設けられた供給部材２６と、該供給部材２６を摺動作動させるようにスライド自在に形成された作動部材２７によって構成されている。前記供給部材２６には先端が刃状に形成された送り爪２８を保持している爪ホルダ２９が回動可能に支持されており、供給部材２６のスライド移動に伴って爪ホルダ２９が回転して送り爪２８の先端がステープルガイド２５に形成された開口部２５ａからステープルガイド２５の上面側へ突出されて連結ステープルと係合して連結ステープルを打出部７へ供給させるようにしている。
【００２０】
マガジン５側に形成されている作動部材２７は、前記供給部材２６と対向するようにスライド可能に支持されており、バネ３０によって連結ステープルを打出部７へ向けて供給する方向へスライド付勢されている。バネ３０の弾発力によって作動部材２７がステープル供給方向に作動することによって供給部材２６をステープル供給方向へスライド移動させて連結ステープルを供給するようにしている。前記作動部材２７には両端がマガジン５の両側面まで延びた作動軸３１が貫挿されており、この作動軸３１の両端にマガジン５の両側面に沿って前後方向に摺動可能に配置されている摺動片３２が連結されている。更に、マガジン５の両側面には支持フレーム４に形成された凸部３３と係合する係合部３４と、前記摺動片３２と係合する係合部３５が形成された回動リンク３６が回動可能に設けられている。
【００２１】
電動ステープラー１が非作動の状態では、図７に示すように、マガジン５が上方位置に配置されることにより回動リンク３６も上方に配置されており、回動リンク３６の係合部３４が支持フレーム４の凸部３３と係合されることによって回動リンク３６の時針方向の回動が阻止されて、回動リンク３６の他方の係合部３５が摺動片３２と係合して摺動片３２の前方への移動を阻止して摺動片３２を後方端位置に移動させている。これによって前記摺動片３２と作動軸３１を介して連結されている作動部材２７がバネ３０の付勢力に抗して後方端位置に配置され、供給部材２６とこれに保持されている爪ホルダ２９も作動部材２７によって後方位置に配置されて、送り爪２８の先端がステープルガイド２５の下面側へ退避させられている。
【００２２】
電動ステープラー１が作動されると、図８に示すように駆動回転部材９に形成したカム溝２１によりマガジン５が支持フレーム４に対して下方向へ作動され、マガジン５に支持されている回動リンク３６も支持フレーム４に対して下方向へ移動する。回動リンク３６が下方向へ移動することによって回動リンク３６の係合部３４が支持フレーム４の凸部３３から離反されるので回動リンク３６が時針方向に回転可能となり、回動リンク３６の他方の係合部３５と係合して後方端位置に保持されていた摺動片３２が前方へ移動可能となる。摺動片３２が移動可能となると作動部材２７がバネ３０の付勢力によって前方へ移動して供給部材２６と爪ホルダ２９を前方へ移動させる。爪ホルダ２９が前方へ移動すると爪ホルダ２９が回転して爪ホルダ２９に保持された送り爪２８の先端がステープルガイド２５の開口部２５ａから上面側に突出し、ステープルガイド２５の上面に沿って配置されている連結ステープルと係合して連結ステープルが打出部７へ供給される。
【００２３】
ステープル綴じが終了してマガジン５が支持フレーム４に対して上方の初期位置へ復帰される際には、マガジン５の上方への移動に伴って回動リンク３６が上方へ移動して、回動リンク３６の係合部３４が支持フレーム４の凸部３３と係合して回動リンク３６を反時針方向に回転させ、回動リンク３６の他方の係合部３５が摺動片３２と係合して摺動片３２を後方へ移動させる。摺動片３２が後方へ移動されると作動軸３１を介して作動部材２７がバネ３０の付勢力に抗して後方へ移動されて、更に作動部材２７によって供給部材２６と爪ホルダ２９が後方へ移動されて初期の非作動位置に復帰する。
【００２４】
上記のように、ドライバプレート１５等のステープル駆動機構８を駆動させる駆動回転部材９によってマガジン５を作動させるようにするとともに、このマガジン５の作動に関連してステープル供給機構２４を作動させるようにすることにより、ステープル供給機構２４の送り爪２８の作動ストロークを大きく設定することが可能となり、マガジン５へ新品のカートリッジ６を装着した際や、打出部７の打出通路内で詰まってしまったステープルを除去する作業を行った後で、カートリッジ６内の連結ステープルを打出部７まで供給させるためにステープル供給機構２４を空作動させる回数を少なくさせることができる。
【産業上の利用可能性】
【００２５】
本発明の電動ステープラーの駆動機構は、前述の実施例に記載した複写機やファックス内の用紙の搬送路に沿って配置して搬送路に沿って搬送される用紙を綴じるようにした電動ステープラーの他に、複写機やファックス等の機器から排出される用紙を仕分けする後処理装置に内蔵されてこれらの機器によって仕分けされた用紙を綴じるようにした電動ステープラーや、これらの機器に内蔵されずに卓上で使用するタイプの電動ステープラーにも適用することができる。また、前述の実施例に記載したようにシート状に形成された連結ステープルを使用したものに限らず、長尺の連結ステープルを渦巻き状に巻回した連結ステープルに形成してこれをマガジン内に装填するようにした電動ステープラー、又は、予めコ字形に成形されたステープルを多数並列させて連結した連結ステープルをマガジンに装填するようにした電動ステープラーに適用することが可能である。
【図面の簡単な説明】
【００２６】
【図１】本発明の実施例に係る電動ステープラーを示す斜視図
【図２】図１と同じ電動ステープラーの打込部を示す斜視図
【図３】マガジンとマガジンの作動機構を構成している部品の分解斜視図
【図４】非作動状態のステープル駆動機構とマガジンの作動状態を示す模式図
【図５】ステープル綴じ作動を開始した直後の作動状態を示す図４と同様の模式図
【図６】ステープル綴じ作動が完了した作動状態を示す図４と同様の模式図
【図７】非作動状態のステープル供給機構を示す斜視図
【図８】供給動作した後の作動状態を示す図４と同じ斜視図
【符号の説明】
【００２７】
１  電動ステープラー
４  支持フレーム
５  マガジン
７  打出部
８  ステープル駆動機構
９  駆動回転部材
１７  カムフォロア
２１  カム溝
２４  ステープル供給機構
【図１】
2005028786.tif 000003
【図２】
2005028786.tif 000004
【図３】
2005028786.tif 000005
【図４】
2005028786.tif 000006
【図５】
2005028786.tif 000007
【図６】
2005028786.tif 000008
【図７】
2005028786.tif 000009
【図８】
2005028786.tif 000010